(57)【特許請求の範囲】
【請求項１】
薬物送達デバイスのための用量設定機構であって：
薬物送達デバイスハウジング（１２０）；
少なくとも部分的にハウジング（１２０）中に位置しそして用量設定工程中に回転可能である用量ダイヤル部材（１２２；２０２）；
用量ダイヤル部材（１２２；２０２）内に位置する駆動スリーブ（１２４；２０６）；
駆動スリーブ（１２４；２０６）内に位置するスピンドル（１２６）；
用量ダイヤル部材（１２２；２０２）と駆動スリーブ（１２４；２０６）の間に位置するクラッチ（１２８；２１２）；及び
最小許容用量より小さい用量が選択されたとき、ハウジング（１２０）に対して回転して固定されるクラッチリング（１３０；２００）を含んでなり、
ここで、用量ダイヤル部材（１２２；２０２）が回転して最小用量より小さい用量を選択したとき、クラッチリング（１３０；２００）は駆動スリーブ（１２４；２０６）が回転するのを防止し、スピンドル（１２６）を駆動スリーブ（１２４；２０６）から係合解除させ、それにより選択用量が投与されるのを防止する、上記用量設定機構。
【請求項２】
用量ダイヤル部材（１２２；２０２）が回転して最小用量より小さい用量を選択したとき、クラッチリング（１３０；２００）はクラッチ（１２８；２１２）が回転するのを防止する、請求項１に記載の機構。
【請求項３】
用量ダイヤル部材（１２２；２０２）が回転して最小用量より大きい用量を選択したとき、最小用量より大きい用量が選択されそして投薬され得るように、クラッチリング（１３０；２００）は駆動スリーブ（１２４；２０６）及びクラッチ（１２８；２１２）をその後の用量設定中に一緒に回転するのを可能にする、請求項１に記載の機構。
【請求項４】
スピンドル（１２６）が少なくとも１つの可撓性部材（１３４ａ、ｂ）を含む請求項１に記載の機構であって、少なくとも１つの可撓性部材は駆動スリーブ（１２４；２０６）のねじ山（１３８）と係合するように構成される、上記機構。
【請求項５】
最小用量より大きい用量が選択された後、少なくとも１つの可撓性部材（１３４ａ、ｂ）は駆動スリーブ（１２４；２０６）の内側ねじ山（１３８）と係合する、請求項４に記載の機構。
【請求項６】
駆動スリーブ（１２４；２０６）の駆動内側ねじ山（１３８）が駆動スリーブ（１２４；２０６）ピッチを含む請求項５に記載の機構であって、駆動スリーブピッチは最小用量に達するために用量ダイヤル部材（１２２；２０２）によってダイヤルされる必要がある軸方向距離に等しい、上記機構。
【請求項７】
クラッチリング（１３０；２００）はハウジング（１２０）にスプライン係合される、請求項１に記載の機構。
【請求項８】
用量ダイヤル部材（１２２；２０２）が回転して最小用量より小さい用量を選択したときだけ、クラッチリング（１３０；２００）はハウジング（１２０）にスプライン係合される、請求項７に記載の機構。
【請求項９】
用量ダイヤル部材（１２２；２０２）が回転して最小用量より大きい用量を選択したとき、クラッチリング（１３０；２００）はもはやハウジング（１２０）にスプライン係合されない、請求項７に記載の機構。
【請求項１０】
クラッチリング（１３０；２００）の第１の部分と用量ダイヤル部材（１２２；２０２）の第１の部分の間で画成されるインターフェース（１４０、１４４）はクリッカーを画成する、請求項１に記載の機構。
【請求項１１】
クラッチ（１２８；２１２）及びクラッチリング（１３０；２００）は一体クラッチ機構を含む、請求項１に記載の機構。
【請求項１２】
クラッチリング（２００）は駆動スリーブ（２０６）に回転してロックされる、請求項１に記載の機構。
【請求項１３】
駆動スリーブ（１２４；２０６）は数字スリーブ（１２２；２０２）に軸方向にロックされる、請求項１に記載の機構。
【請求項１４】
少なくとも、最小用量より小さい用量が選択されたとき、クラッチリング（１３０；２００）の突出部はハウジング（１２０）のキーイング機能（１２３）に対して回転して固定される、請求項１に記載の機構。
【請求項１５】
ハウジング（１２０）が複数のキーイング機能（１２３）を含み、そして／又はクラッチリング（１３０；２００）が複数の突出部（１３１）を含む、請求項１４に記載の機構。
【発明の詳細な説明】
【技術分野】
【０００１】
本開示は、一般的に、最小及び／又は最大の可能な用量設定を制御する薬物送達デバイス用の用量設定機構を設定し送達する方法を対象にする。特に、本特許出願は一般に、治療法が、患者が特定の薬剤の少なくともある最小用量の投与を受けてそしてある最大用量を超えないことを治療法が要求する場合の、ペン型薬物送達デバイスなどの薬物送達デバイスを対象にする。そのようなデバイスは多回投与カートリッジからの医薬品の自己投与を備え、そして最小及び／又は最大用量を設定するための用量制限機構を含む。本出願は、使い捨て及び再使用可能型薬物送達デバイスの両方において適用性を見出し得る。しかしながら、本発明の態様は同様に他のシナリオにおいて同等に適用可能である。
【背景技術】
【０００２】
自己投与注射可能薬剤は多くの場合可変用量注射デバイスを用いて送達される。そのようなデバイスは、特許文献１から公知である。注射に先立って、使用者は、それらがそれらの処方用量に従って必要とする用量、及び／又はそれらの現在の又は予想されるその後の身体状況を選択する。代表例は、患者の用量がそれらの処方用量並びにそれらの予想食物摂取及び活動レベルによって決まる場合の、糖尿病患者に対するインスリン送達デバイスであり得る。通常そのようなデバイスは、デバイスが送達することができる１単位から最大単位までのいずれもの用量、通常はペン型又はシリンジ注射デバイスなどの手動デバイスに対して６０単位又は８０単位を使用者が選択することを可能にする。
【０００３】
特許文献１の薬物送達デバイスは、用量設定機構を受けるためのハウジング、カートリッジ、取り付け用量ダイヤルグリップを備えた用量ダイヤルスリーブ、クリッカー、駆動スリーブ、駆動スリーブをカップリング及びデカップリングするためのクラッチ、回転ピストンロッド及び設定用量を注射するのに押圧されるボタンを含む。特許文献１に開示されるペン型注射デバイスの全説明は参照することにより本明細書に組み入れられる。
【０００４】
用量をダイヤルするために、使用者はダイヤルグリップを回転させる。係合されたクリッカー及びクラッチ手段に関して、ドライブスリーブ、クリッカー及びクラッチ手段及び用量ダイヤルスリーブは、ハウジングに対して及びピストンロッドに対して用量ダイヤルグリップと一緒に回転する。ダイヤルされている用量の聴覚及び触覚フィードバックはクリッカー及びクラッチ手段によってもたらされる。トルクはクリッカー及びクラッチ手段間で鋸歯を通して伝達される。
【０００５】
用量ダイヤルスリーブ上のラセン溝及び駆動スリーブ中のラセン溝は同じリードを有する。これは、用量ダイヤルスリーブがハウジングから伸びること、及び駆動スリーブが同じ度合でピストンロッドに上ることを可能にする。走行の限界（limit of travel）において、用量ダイヤルスリーブ上の半径方向の止め具は更なる動きを防止するためにハウジング上に備えられた止め具を係合する。ピストンロッドの回転は、ピストンロッド上の分解点検及び駆動ねじの反対方向に起因して防止される。
【０００６】
使用者が所望の薬用量を超えて不注意にダイヤルした場合、ペン型注射器は、薬用量がカートリッジから医薬品の投薬なしに下方にダイヤルされることを可能にする。用量ダイヤルグリップは逆回転する。これはシステムを逆に作動するようにさせる。クラッチ手段を通して伝達されるトルクは、ダイヤルした用量減少に対応するクリックを作り出すために、鋸歯を互いに乗り越えるようにさせる。好ましくは、鋸歯は、各鋸歯の周辺の範囲が単位用量に対応するように配列される。
【０００７】
所望用量がダイヤルされるとき、使用者は次にボタンを押し下げることによりこの用量を投薬し得る。これは、クラッチ手段のドッグツースを係合解除させる用量ダイヤルスリーブに対して軸方向にクラッチ手段を変位させる。しかしながら、クラッチ手段は駆動スリーブに対してキー付きのままである（remains keyed）。用量ダイヤルスリーブ及び関連の用量ダイヤルグリップはこれで自由に回転することができる。軸運動は、投薬中鋸歯は点検されることができないことを確実にするためにクリッカーの可撓性部分を変形する。これは駆動スリーブがハウジングに対して回転することを防止するが、それはそれに対して軸方向に尚自由に動くことができる。この変形はその後、圧力がボタンから取り除かれるとき、クラッチと用量ダイヤルスリーブ間の連結を修復するように駆動スリーブに沿ってクリッカー及びクラッチを戻させるために用いられる。駆動スリーブの縦方向の軸運動は、ねじ込みピストンロッドをハウジングインサート中のねじ込み開口部を通して回転させ、それによりカートリッジ中にピストンを進むようにさせる。
【０００８】
言い換えれば、駆動スリーブは注射中、縦方向、即ち軸方向だけに動く。駆動スリーブ及びピストンロッドは、ピストンロッドの外面及び駆動スリーブの内面上で対応するねじ山を介して係合することから、駆動スリーブの縦運動はピストンロッドを回転するようにさせる。対応するねじ山を介してピストンロッドと係合するねじ込み開口部を備えたハウジングインサートはハウジング内に固定され、即ち回転を防止される。このように、回転ピストンロッドはハウジングインサートにおいてねじ込み開口部を通してねじ込まれ、即ちピストンロッドは、ねじ込み開口部及びピストンロッドの対応するねじ山によって画成されるラセン経路に沿って回転及び縦方向運動の組み合わせを行う。
【０００９】
一度ダイヤル用量が投薬されると、用量ダイヤルスリーブは、用量ダイヤルグリップから伸びる複数の部材をハウジング中に形成される対応する複数の止め具と接触させることによって更なる回転が防止され、このようにゼロ用量位置を決定する。
【００１０】
そのようなペン型薬物送達デバイスは、正式な医学訓練なしに個人による通常の注射を実施するために設計及び開発されている。自己処置はそのような患者がその疾患の効果的な管理を実施するのを可能にするような糖尿病を有する患者の中では、これは益々一般的になっている。医療従事者ではなく、患者はそのような薬物送達デバイスを使用している可能性があることから、１つの必要条件はデバイスが堅固な構造を有することである。薬物送達デバイスはまた、薬物送達デバイス操作及びデバイス動作の理解の両方により使いやすくする必要がある。これは特にインスリン溶液を反復自己注射する必要のある糖尿病患者に当てはまり、そして注射予定のインスリン量は患者によって異なりそして注射剤によっても異なってよい。少なくともその限りでは、ある糖尿病患者は、患者がインスリン溶液の同じ又は恐らく異なる事前セット量の連続測定薬用量を、正確にそして最小の器用さの問題で注射することを可能にする薬物送達デバイスを必要とし得る。ある糖尿病患者の場合、使用者は視力を障害している可能性があり、及び／又は器用さの限られた身体虚弱であり得ることから、これは更なる設計課題を提起する。
【００１１】
インスリンに加えて、他の薬剤はそれらが治療的に有効になる前に送達すべき最小用量を必要とする。患者が治療的に有効な最小用量未満の用量を送達することが可能な可変用量デバイスは、使用者が用量計算の誤りによるか又は間違った用量を誤って選択することにより無効量を送達し得る可能性をもたらす。同様に、幾つかの薬剤は最大用量が超えるべきではないことを必要とする。これは、薬剤の副作用のリスク若しくは重度増加又は過剰若しくは望ましくない作用など、安全対策のためであり得る。現在の可変用量送達デバイスは、通常送達機構が提供することができる最大用量によって制限される最大用量を有し、しかしながら、これは薬剤の最大勧奨又は所定用量に必ずしも関連していない。
【先行技術文献】
【特許文献】
【００１２】
【特許文献１】ＷＯ２００４／０７８２３９Ａ１
【発明の概要】
【発明が解決しようとする課題】
【００１３】
本発明は少なくとも２つのアプリケーションを有する。第１は、画成用量窓内の可変用量となる必要がある単一活性薬剤の送達であり、即ちその用量はある最小用量より多い必要があり、そしてある最大用量を超えてはいけない。第２の用途は活性薬剤の組み合わせ製剤の送達に関するもので、ここでは少なくとも１つの薬剤は好ましくは可変用量として送達され、そして少なくとも１つの他の薬剤は好ましくは固定用量として送達され、そしてここではこの固定用量は例えば±１０％の公称固定用量だけ画成用量窓内で安全に変動し得る。
【００１４】
本発明に基づく最小及び／又は最大用量制限送達デバイスは、それが治療的に有効になる前に送達しようとする最小用量を必要とする薬剤に使用し得て、しかしここでは用量調整の程度が必要となり得る。患者の体重又はそれらの病状の重度に応じて用量を調節することを含み、この用量調整は多くの理由で必要となり得る。最小及び／又は最大用量制限送達デバイス（ｍｉｎ／ｍａｘデバイス）はまた、患者による投薬ミスの可能性を減少させるために、完全可変（即ち０〜ｍａｘ用量）デバイスの代わりに使用し得る。可変用量ペンよりもむしろｍｉｎ／ｍａｘデバイスを用いることは、患者が規定用量窓を外れて、即ち高すぎるか又は低すぎる用量を誤って送達し得るリスクを減少させる。
【００１５】
Ｍｉｎ／ｍａｘデバイス利用の１つの例は、患者がｍｉｎ／ｍａｘ送達デバイスを小児が自己投与することができるように小児に与えることができて、そして患者がｍｉｎ／ｍａｘデバイスの最小及び最大レベルは、いずれの過量摂取又は過少摂取の可能な重大性を限定することを知り得る場合である。そのようなデバイスが適用し得る場合の別の例は、長時間作用型インスリンを服用する患者に対してである。通常可変用量ペンは、患者がその目標血中グルコースレベルに達するようにそれらの用量を「調節している（titrating）」ときに必要とされる。しかしながら、一度目標血中グルコースレベルが実現されると、長時間作用型インスリンの用量は通常比較的長時間にわたって多かれ少なかれ変わらないままである。この期間中、患者のインスリン用量が１日毎の基準で一定であるか又はほんのわずかの単位だけ変化する場合、患者の長時間作用型インスリンニーズは最小及び／又は最大用量制限送達デバイスによって効果的に満たされ得る。
【００１６】
表１（下記に提供される）は、単一の１〜８０単位可変用量デバイスの代わりに使用し得る、送達デバイスの実例ファミリー、「Ｐｅｎ１」〜「Ｐｅｎ４」を示す。Ｐｅｎ１〜４の各々はほぼ同じ基本機構で設計及び製作されるが、各ペンは異なる最小及び／又は最大用量を設定するために使用される更なる又は別の部材を含む。患者はそれらの安定な長時間作用型インスリン用量に応じて特定のＰｅｎを処方され得る。例えば、表１によれば、１日当り３０単位の長時間作用型インスリンを処方された患者は、それぞれ１８単位の最小用量及び４２単位の最大用量を有する、Ｐｅｎ２を処方され得る。どのような数の機械的部材でも、軸方向及び／又は回転止め具、戻り止め、クラッチ、圧縮フィンガ、又は類似の部材を含んで、これらの所定のｍｉｎ／ｍａｘ用量を確実にするようなペン設計に使用することができる。
【００１７】
糖尿病患者のインスリン用量は経時的に徐々に変わり得る。それ故、用量が増加するにつれてＰｅｎ間の円滑な移行を可能にするために、Ｐｅｎ間に少量の用量範囲の重複があってよい。例えば、表１によれば、１日当り４０単位の長時間作用型インスリンを処方された患者は、患者がその用量を経時的に減少させることを期待する場合はＰｅｎ２が、又は患者がその用量を経時的に増加させることを期待する場合はＰｅｎ３が投与され得る。「ファミリー」中のペンの数及び表１中に示される選択用量範囲は一例に過ぎない。本発明のｍｉｎ／ｍａｘデバイスを用いることにより、用量選択のときのミスはペンの動作窓内に限定される。用量を上方にダイヤルすること又は用量をペンの用量範囲未満に送達することは可能となり得ず、そしてこれは患者にその誤りを警告し得る。
【００１８】
特に用量誤り又は薬物／デバイスの取り違えをもたらし得る類似デバイスとの混同のリスクがある場合、ｍｉｎ／ｍａｘデバイスはまた他の医薬品の送達に適用し得る。１つのそのような例は速効作用型インスリン及び長時間作用型インスリンであり得る。これらのインスリンはいずれも「単位」で計られ、しかしながら、同じ単位数の各インスリンタイプは非常に異なる効果を有する可能性があり、そして患者には１日を通じて異なる回数で服用しようとする各薬物の異なる用量が処方され得る。長時間作用型及び速効作用型インスリンの取り違えは低血糖症を引き起こし得て、そして潜在的に致死的になる。両タイプのインスリンは注射ペンデバイスによって送達され得る。ペンは異なるデザイン、色、形状から成りそして異なるラベルを持っていても、患者はそれらのインスリンペンを取り違えることが分かっている場合、「自動操縦」効果が起こり得るというようなルーチンベースで患者はそれらの注射を行う。
【００１９】
今回提案のｍｉｎ／ｍａｘデバイスはこの取り違え発生を防止するのに資する。例えば、速効作用型及び長時間作用型インスリンの両方が各々表１によるｍｉｎ／ｍａｘデバイスのファミリーを備えると仮定する。患者には１日当り５０単位の長時間作用型インスリン（長時間作用型Ｐｅｎ３を必要とし得る）、及び食事と一緒に１５単位の速効作用型インスリン（Ｐｅｎ１を必要とし得る）が処方される。最も危険な取り違えは、患者が長時間作用型インスリンよりもむしろ速効作用型インスリンの５０単位を誤って送達する場合に起こり得る。患者がｍｉｎ／ｍａｘデバイスでこれを行うのを試みた場合、次いで患者は速効作用型インスリン（Ｐｅｎ１）を手に取り得て、それらが２２単位を超えてダイヤルし得ないことを見出し得る。このことは、これが正しいインスリンペンではなくそれ故間違ったインスリンタイプであるという事実を患者に警告し、そしてそれ故間違ったインスリンが送達されるのを防止し得る。
【００２０】
このｍｉｎ／ｍａｘ概念は使い捨てデバイス及び再使用可能デバイスの両方に同様に提供され得る。
【００２１】
ある医薬品はまた、送達デバイス又は針の正しい動作を確認するために使用者が「プライミング」用量を実施することを必要とする。これは通常２単位の「エアショット」を送達し、次いで医薬品が針から出るのが見えるのをチェックすることによって達成される。表１に示されるｍｉｎ／ｍａｘ概念はこれを許容し得ない。プライミング機能性が必要な場合、例えば１〜２単位の範囲の第２の許容「用量窓」も各ペン機構内に導入され得る。これを適用可能にする方法の例は表２に示される。表１及び２はいずれも偶数単位だけを示すが、これは明確さのためだけに行われ、デバイスは奇数及び偶数単位又は可能な１／２単位を送達するのに構成され得る。
【００２２】
記述のように、本開示デバイスはまた、活性薬剤の組み合わせ製剤の送達が必要な治療法にも有用であり得て、ここでは少なくとも１つの薬剤は好ましくは可変用量で送達され、そして少なくとも１つの他の薬剤は好ましくは固定用量で送達される。患者が医薬品の組み合わせを必要とする場合、そのときはそれらの医薬品が、一個の針を通した１つの注射において単一注射デバイスによる送達のために単一製剤（即ち両方の薬物が事前に定義された割合で混ぜ合わされそして１つの一次パックで供給される）として提供することができる場合に利点がある。しかしながら、薬物の１つが使用者選択可能可変用量の送達を必要とし、並びに第２の薬物が治療的に有効になる最小用量以上の用量を必要としそして所定の最大用量を超えてはいけない場合に、そのとき薬物送達デバイスは、それがこの範囲外の用量を送達することを防止されるように構成されることは有益である。
【００２３】
例えば、患者には、長時間作用型インスリン（通常可変用量デバイスで送達される）及びＧＬＰ−１（通常固定用量として送達される）の併用療法が処方され得る。ＧＬＰ−１はプログルカゴン遺伝子の転写産物から由来するグルカゴン様ペプチド−１（ＧＬＰ−１）であり、そしてそれが消化管ホルモンとして腸管Ｌ細胞により分泌される体内に見出される。ＧＬＰ−１は、それ（及びそのアナログ）を糖尿病の有力な処置法として広範囲な検討の対象とする幾つかの生理学的性質を有する。患者が２つの注射を行う必要があることを回避するために、２つの医薬品は単一製剤にプレミックスされる。両薬剤は固定比率でプレミックスされるので、ＧＬＰ−１用量も変動することなしに長時間作用型インスリン用量をも変動させることが可能ではない。しかしながら、ＧＬＰ−１用量が所定の許容誤差内、例えば公称固定用量前後の±１０％で変動することは容認可能である。それ故、それらの間に長時間作用型インスリンの可変用量、及び所定の「固定」用量の±１０％内に入るＧＬＰ−１用量の送達を可能にし得るプレミックスデバイスのファミリーを提供することは、ｍｉｎ／ｍａｘ制限デバイスのファミリーを用いて可能である。
【００２４】
表３は例えば、２０ｍｇ±１０％に「固定」されるＧＬＰ−１用量と併せた２２〜７６単位からいずれの長時間作用型インスリンの送達を可能にする６ｍｉｎ／ｍａｘペン型注射デバイスのファミリーを示す。ファミリー内の各Ｐｅｎは異なる最小及び最大用量閾値を有してよく、そして２つの医薬品の適切な混合比で充填した薬剤の一次パック又はカートリッジを供給し得る。ペンデバイスのファミリーは、薬剤の適切な混合比カートリッジでプレフィルドした使い捨て機械デバイスとして供給され得る。あるいは、デバイスのファミリーは再使用可能機械デバイスとして供給し得る。後者の場合には、デバイスは好ましくは特定の混合比カートリッジ専用であり、即ち正しい混合比カートリッジだけが各ペンファミリー部材に装填することができる。
【００２５】
第３の別の方法は、最小及び最大用量機能性でプログラミングすることができる、単一電子デバイスを介するペンデバイスの「ファミリー」を提供することである。好ましくは、ｍｉｎ／ｍａｘ電子デバイスは、必要な最小及び最大閾値がその特定のカートリッジ及び混合比に対してであり得る、デバイスに装填時に自動的に伝え得るコード化カートリッジを装填し得る。
【００２６】
ペン型デバイスなどの可変用量薬物送達デバイスで最小設定可能用量を実現する１つの特定の手段は、所定の最小用量が到達されるまでデバイスの投薬を防止する機構を含むことである。最大用量機構もまた最小用量機構で使用することができる。
【００２７】
本発明の目的は、注射デバイスの使用者が、特定の薬剤の事前選択最小有効量未満の用量を設定及び投与する際のリスクを減少又は排除するデバイスを提供することである。
【課題を解決するための手段】
【００２８】
この目的は請求項１において定義される用量設定機構によって解決される。
【００２９】
本発明の１つの可能な例示的実施態様によれば、薬物送達デバイスのための用量設定機構は、最小許容用量より小さい用量が選択されるときに、しかし最小許容用量より大きい用量が選択されるときではなく、ハウジングに対して回転して固定されるクラッチリングによる最小用量制限機能を含んで提供される。特に、用量設定機構は、薬物送達デバイスハウジング及びハウジング中に位置しそして用量設定工程中に回転可能な用量ダイヤル部材を含む。用量設定機構はまた、用量ダイヤル部材内に位置する駆動スリーブ及び駆動スリーブ内に位置するスピンドルを含む。クラッチは用量ダイヤル部材と駆動スリーブ間に位置することができる。上述のように、最小許容用量より小さい用量が選択されるとき、クラッチリングはハウジングに対して回転して固定される。用量ダイヤル部材が最小用量より小さい用量を選択するように回転するとき、クラッチリングは、駆動スリーブが回転するのを防止し一方でスピンドルは駆動スリーブから係合解除し、それにより選択用量が投与されるのを防止する。
【００３０】
本発明に組み入れることができるペン型デバイスの公知例、例えばＷＯ２００４／０７８２３９に記載のデバイスでは、駆動スリーブは用量設定中に数字スリーブとともに回転し、一方で駆動スリーブは用量投与中に回転することができずに軸方向に押される。用量設定中及び用量投与中に、駆動スリーブは、スピンドルの外面上で及び駆動スリーブの内面上でそれぞれ係合ねじを介してスピンドルに繋がれる。言い換えれば、本発明の主要原理の１つは、設定用量が事前に定義された閾値未満であるかぎり、用量設定中に駆動スリーブの回転を（クラッチリングを用いて）防止することである。用量設定のこの部分中駆動スリーブの回転の防止は、ハウジングのねじ山上のラセン経路に従動する用量ダイヤルスリーブとともに近位方向における駆動スリーブの後退をもたらす。スピンドルは駆動スリーブとともに後退することができないことから、駆動スリーブ及びスピンドルが軸方向において互いに対して摺動することが可能であるように、スピンドルと駆動スリーブ間のねじ込み係合は係合解除する。それ故に、使用者が閾値未満の設定用量を投与することを試みる場合、駆動スリーブは薬剤を投薬することなしに軸方向においてスピンドルに対して摺動する（オーバーライドする）。
【００３１】
用量ダイヤル部材（例えば数字スリーブ）が最小用量より小さい用量を選択するように回転するとき、クラッチリングはクラッチが回転するのを防止することが好ましい。クラッチは駆動スリーブに回転して繋がると、これは駆動スリーブが上記のように回転することを防止する。
【００３２】
他方で、用量ダイヤル部材が最小用量より大きい用量を選択するように更に回転するとき、クラッチリングは、最小用量より大きい用量が選択されそして投薬することができるように、駆動スリーブ及びクラッチがそれに続く用量設定中に一緒に回転することを可能にする。
【００３３】
事前に定義された用量を超えて用量を設定する前に、スピンドル及び駆動スリーブが用量設定中に係合解除することを可能にするのに異なるやり方がある。本発明の好ましい実施態様によれば、スピンドルは、駆動スリーブのねじ山を係合するために構成される少なくとも１つの可撓性部材を含んでよい。言い換えれば、可撓性部材、例えば可撓性フィンガは、スピンドル及び駆動スリーブの係合及び係合解除を可能にする。最小用量より大きい用量が選択された後、少なくとも１つの可撓性部材は駆動スリーブの雌ねじを係合する。
【００３４】
好ましくは、駆動スリーブの雌ねじは駆動スリーブピッチを含み、ここで最小用量に到達するために、駆動スリーブピッチは用量ダイヤル部材によってダイヤルする必要がある軸方向距離と同じである。最小用量が設定された後、これはスピンドルと駆動スリーブ間でねじ山が再係合することを可能にする。
【００３５】
クラッチリングはハウジングにスプライン係合され得る。より詳細には、用量ダイヤル部材が最小用量より小さい用量を選択するように回転するときだけ、クラッチリングはハウジングにスプライン係合される場合にそれは好ましい。更に、用量ダイヤル部材が最小用量より大きい用量を選択するように更に回転するときだけ、クラッチリングはもはやハウジングにスプライン係合されない。
【００３６】
クラッチリングの上記機能は、クラッチリングの第１の部分と用量ダイヤル部材の第１の部分間で画成されるインターフェースを備えることにより実現され、そのインターフェースはクリッカーを画成し得る。このクリッカーは聴覚クリッカーを含んでよい。更にクラッチ及びクラッチリングは一体クラッチ機構を含んでよい。
【００３７】
上記のように、クラッチリングは、第１の状態においてクラッチに対して回転し得て、そして第２の状態においてクラッチに解除可能に繋がれ得る別々の部材であってよい。別の方法として、クラッチリングはクラッチの一体部分として形成され得て、又はクラッチリングは恒久的にクラッチに繋がれ得る。本発明の更なる実施態様によれば、クラッチリングは例えばそれぞれのスプリンを介して駆動スリーブに回転してロックされ得る。
【００３８】
駆動スリーブからのスピンドルのデカップリングを可能にするために、駆動スリーブは数字スリーブに軸方向にロックされる場合にそれは好ましい。駆動スリーブは用量ダイヤリング中に用量ダイヤルスリーブ（数字スリーブ）とともに軸方向に動き得る。
【００３９】
最小用量よりも小さい用量が選択されるときにせよ、クラッチリングの突出部はハウジングのキーイング機能に対して回転して固定され得る。好ましくは、ハウジングは複数のキーイング機能を含み、及び／又はここでクラッチリングは複数の突出部を含む。ハウジングに対するクラッチリングの角度位置に無関係に、これはクラッチリング及びハウジングの再係合を容易にする。
【００４０】
上記のように、用量設定機構は再設定可能用量設定機構を含んでよい。用量設定機構を薬剤含有カートリッジを含むカートリッジホルダに繋げることが好ましい。再設定可能機構では、用量設定機構はカートリッジホルダに取り外し可能に繋がれ得る。
【００４１】
例示的ｍｉｎ／ｍａｘデバイスでは、最小用量未満の（例えば用量ダイヤル部材にプリントすることができる）用量計数は、ダイヤル用量が通常の最小用量よりも小さいことを識別するために、赤色などの異なる色で色付けされ得る。
【００４２】
本提案薬物送達デバイスの種々態様のこれら並びに他の利点は、添付図面を適切に参照して下記の詳細な説明を読むことにより当業者に明らかになるものである。
【００４３】
例示的な実施態様は以下において図面を参照して本明細書に記載される：
【図面の簡単な説明】
【００４４】
【図１Ａ】ペン型薬物送達デバイスの実例設計を図示する。
【図１Ｂ】図１Ａのペン型薬物送達デバイスの用量設定機構の断面図を図示する。
【図２Ａ】図１Ｂに示される用量設定機構の所定の部材の透視図を図示する。
【図２Ｂ】用量がダイヤルされる前の初期位置における用量設定機構の所定の部材の透視図を図示する。
【図２Ｃ】最小用量より小さい用量がダイヤルされる直前のある位置における用量設定機構の所定の部材の透視図を図示する。
【図２Ｄ】最小用量より大きい用量がダイヤルされた直後のある位置における用量設定機構の所定の部材の透視図を図示する。
【図３】図１Ｂに示される用量設定機構の所定の部材の透視図を図示する。
【図４】実例用量設定機構の所定の部材の透視図を図示する。
【図５】図４に示される実例用量設定機構の所定の部材の透視図を図示する。
【発明を実施するための形態】
【００４５】
図１Ａを参照して、例示的なペン型設計配置に基づく薬物送達デバイス１００が示される。薬物送達デバイス１００は、第１のカートリッジ保持部材１０２を有するハウジング、及び用量設定機構１０４を含む。薬物送達デバイスは、再設定可能薬物送達デバイス（即ち、再使用可能デバイス）又は代わりに再設定不可能薬物送達デバイス（即ち、再使用不可能デバイス）であってよい。カートリッジ保持部材１０２の第１の端部及び用量設定機構１０４の第２の端部は、連結機能によって一緒に固定される。再設定不可能デバイスでは、これらの連結機能は恒久的及び非可逆的であり得る。再設定可能デバイスでは、これらの連結機能は解除可能であり得る。
【００４６】
この図示された配置では、カートリッジ保持部材１０２は用量設定機構１０４の第２の端部内に固定される。取り外し可能キャップ（示されず）は、カートリッジ保持部材又はカートリッジハウジングの第２の端部又は遠位端の向こう側に解除可能に保持される。用量設定機構１０４は用量ダイヤルグリップ１１２及び窓又はレンズ１１４を含む。用量スケール配置は窓又はレンズ１１４を通して見える。薬物送達デバイス１００内に含まれる薬剤の用量を設定するために、使用者は、ダイヤル用量が用量スケール配置を介して窓又はレンズ１１４中に見えるようになるように用量ダイヤルグリップ１１２を回転する。
【００４７】
図１Ａは、医療送達デバイス１００のダイヤル端１１８から取り外されるカバーキャップを備えた医療送達デバイス１００を図示する。この取り外しはカートリッジハウジング１０６を露出する。好ましくは、それから多くの用量の医薬品が投薬され得るカートリッジ（示されず）はカートリッジハウジング１０６中に備えられる。好ましくは、カートリッジは、例えば１日に一度又はそれ以上の回数、比較的頻繁に投与することができる薬剤のタイプを含む。１つのそのような薬剤は長時間作用型か又は短時間作用型インスリンか又はインスリンアナログで；しかしながら、いずれの薬剤も又は薬剤の組み合わせも可能である。カートリッジは、カートリッジの第２の端部又は近位端の近くに保持される栓又はストッパを含む。薬物送達デバイスはまた、駆動スリーブ及びスピンドルを含む（図１Ａには図示されず、しかし図１Ｂにおいてそれぞれ要素１２４及び１２６として図示される）。
【００４８】
カートリッジハウジング１０６は遠位端及び近位端を有する。好ましくは、カートリッジハウジング１０６の遠位端は、取り外し可能ニードルアセンブリを取り付けるためにハブ（hub）８を含む。しかしながら、他のニードルアセンブリ連結機構もまた使用し得る。薬物送達デバイス１００が再設定可能デバイスを含む場合、カートリッジハウジング１０６の近位端は用量設定機構１０４に取り外し可能に連結される。１つの好ましい実施態様では、カートリッジハウジングの近位端はバヨネット連結を介して用量設定機構１０４に取り外し可能に連結される。しかしながら、当業者には当然のことながら、ねじ山、部分ねじ山、ランプ（ramp）及び戻り止め、スナップロック、スナップフィット、及びルアーロックなどの他のタイプの取り外し可能連結方法も使用し得る。
【００４９】
既述のように、図１Ａに図示される薬物送達デバイスの用量設定機構１０４は、再使用可能薬物送達デバイスとして利用され得る（即ち、再設定できる薬物送達デバイス）。薬物送達デバイス１００が再使用可能薬物送達デバイスを含む場合、カートリッジはカートリッジハウジング１０６から取り外し可能である。カートリッジは、使用者にカートリッジハウジング１０６から用量設定機構１０４を単に連結解除させることにより、デバイス１００を破壊することなしにデバイス１００から取り外し得る。
【００５０】
使用中、一度キャップが取り外されると、使用者はカートリッジハウジング１０６の遠位端に備えられるハブ１０８に好適なニードルアセンブリを取り付けることができる。そのようなニードルアセンブリは、例えばハウジング１０６の遠位端上にねじ込まれ得て、又は代わりにこの遠位端上にスナップされ得る。使用後、交換可能キャップがカートリッジハウジング１０６を再カバーするために使用され得る。好ましくは、交換可能キャップの外側寸法は、デバイスが使用されていないで、交換可能キャップがカートリッジハウジング１０６をカバーする位置にあるときに、全一体（unitary whole）の印象をもたらすように、用量設定機構１０４の外側寸法に類似又は同一である。
【００５１】
我々の開示に基づく第１の例示的用量設定機構は、図１Ｂ〜図３を参照して記載される。図１Ｂは薬物送達デバイス１００の断面図を図示し、そして特に第１の用量設定機構１０４の詳細断面図を示す。用量設定機構１０４は薬物送達デバイスハウジング１２０及びハウジング１２０中に位置する用量ダイヤル部材１２２を含む。用量ダイヤル部材１２２は投薬工程中に回転可能である。実施例では、用量ダイヤル部材１２２は数字スリーブを有する。用量設定機構１０４はまた、用量ダイヤル部材１２２中に位置する駆動スリーブ１２４、及び駆動スリーブ１２４内に位置するスピンドル（即ち、親ねじ）１２６を含む。用量設定機構１０４はまた、用量ダイヤル部材１２２と駆動スリーブ１２４間に位置するクラッチ１２８を含む。更に、用量設定機構１０４はクラッチリング１３０を含む。図１Ｂ〜３に描述される第１の実施態様によれば、クラッチリング１３０は、用量ダイヤルスリーブ１２２に対して及びクラッチ１２８に対して一般的に回転自由で、しかし下記に詳細に説明するようにこれらの部材に繋がれ得る別々の部材である。更に、クラッチリング１３０は、少なくとも一定距離で用量ダイヤル部材１２２に対して及びクラッチ１２８に対して軸方向に自由に変位し得る。
【００５２】
一般に、用量設定機構１０４は、使用者が薬剤用量を投与することができる前に、使用者が所定の最小用量よりも大きい用量をダイヤルすることを確実にするように動作する。これを確実にするために、最小用量より小さい用量が選択されるとき、クラッチリング１３０はハウジング１２０に回転して固定される。そのように、用量ダイヤル部材１２２が最小用量より小さい用量が選択するように回転するとき、クラッチリング１３０は駆動スリーブ１２４が回転すること及びスピンドルが駆動スリーブから係合解除するのを防止し、それにより選択用量が投与されることを防止する。
【００５３】
クラッチリング１３０は、数字スリーブ１２２、クラッチ１２８、及び金属ばね１３２のような付勢エレメントと係合している。最小用量より小さい用量が選択されるとき、クラッチリング１３０は薬物送達デバイスハウジング１２０にクラッチリングを固定する１つ又はそれ以上の突出部を含んでよい。即ち、使用者が少なくとも最小用量をダイヤルするまで、クラッチリング１３０はデバイスハウジング１２０に固定された状態である。１つの例では、クラッチリング１３０はハウジング１２０にスプライン係合される。例えば、図２Ｂは、用量がダイヤルされる前に、元の又は初期位置における用量設定機構１０４の所定部材の透視図を図示する。この元の位置は、用量設定機構１０４が用量をまだダイヤルする必要がある場合の位置である。図２Ｂ及び図２Ｃから見ることができるように、クラッチリング１３０は、クラッチリング１３０の外面１３３に沿った突出部１３１を含む。ただ１つだけの突出部が図示されるが、当業者には当然のことながら複数のこのような突出部も備えられてよい。
【００５４】
また、ハウジング１２０の内面１２１は、複数の溝又はキーイング機能１２３などのキーイング機能を含む。この初期位置で図示されるように、クラッチリング突出部１３１はキーイング機能１２３の１つに留まり、そしてキーイング機能１２３の最遠位端に留まる。
【００５５】
別の配置では、クラッチリング１３０は他のやり方でハウジング１２０に固定され得る。例えば、クラッチリング１３０は、ハウジング１２０に取り付けられる固定部材（例えば、インサート）にスプライン係合され得る。
【００５６】
クラッチ１２８は駆動スリーブ１２４に回転ロックされ、そしてクラッチ１２８は駆動スリーブ１２４に対して軸方向移動を制限することができる。更に、駆動スリーブ１２４は数字スリーブ１２２に軸方向にロックされ、しかし直接回転ロックされない。ある用量ダイヤル状況下に、クラッチリング１３０は、クラッチ１２８−−そしてそれ故また駆動スリーブ１２４−−を数字スリーブ１２２に回転ロックし得る。金属ばね１２３は常時ハウジング１２０に固定され、そしてそれ故回転することができない。
【００５７】
スピンドル１２６は可撓性アーム１３４ａ−ｂ（図１Ｂ参照）などの少なくとも１つの可撓性アームを含む。駆動スリーブ１２４が所定の移動時間中駆動スリーブ１２４の回転なしに近位方向１３６に移動することができるように、スピンドル１２６上のこれらの可撓性アーム１３４ａ、ｂは設計され得る。使用者が当初用量を設定して駆動スリーブ１２４が近位方向に移動するとき、この移動は、アーム１３４ａ、ｂを駆動スリーブの駆動雌ねじ１３８からそれらを係合解除して内側に偏向させる。例えば、１つの実施態様では、可撓性アーム１３４ａ、ｂのねじ込み部分及び内部駆動スリーブの駆動雌ねじ１３８の形状は、ねじ山の１つの面上の傾斜面を含む。このような配置では、駆動スリーブが用量ダイヤル中（即ち回転なしに）近位方向に動き出す場合、傾斜ねじ面はスピンドルアーム１３４ａ、ｂを内側に偏向させる。その結果、用量がゼロ用量から最小用量値までダイヤルされて駆動スリーブ１２４が軸方向に動くと、スピンドル１２６は静止している。
【００５８】
駆動スリーブの駆動雌ねじ１３８ピッチ（即ち、１つのねじ溝から隣接のねじ溝まで）は、最小用量に達するようにダイヤルされた軸方向距離に同じであってよい。従って、一度最小用量がダイヤルされると、可撓性アーム１３４ａ、ｂは駆動スリーブの駆動雌ねじ１３８と再係合し得る。必要に応じて大用量をダイヤルすることができ、そして駆動スリーブ１２４はこれで自由に回転することができることから、可撓性アーム１３４ａ、ｂは駆動スリーブの雌ねじ１３８に係合した状態にとどまる。最小用量より大きい又は同じ用量が設定された後、使用者は用量を送達し得る。用量送達中、可撓性アームは駆動スリーブの駆動雌ねじ１３８と係合される必要がある。それ故、駆動スリーブ１２４は軸方向に動き、それによりスピンドル１２６を回転させ、そしてそれ故カートリッジ栓に投薬力を伝える。
【００５９】
種々の例によれば、ダイヤルする必要がある最小用量はデバイス毎に変動し得る。上記のように、クラッチリング１３０の回転を防止するハウジング１２０の内面１２１に沿ったキー機能の長さは、駆動スリーブの駆動ねじ１３８のピッチと同等としてよい。従って、これらの値を変えることは、ダイヤルする必要がある最小用量を変え得る。
【００６０】
用量設定機構１０４の操作は、掲載図を参照して下記により詳細に記載されている。図２〜３では、クラッチリング１３０のセクションは内部の詳細を示すために図から除かれている。第１に、操作は、使用者がゼロ用量より大きいが、デバイスの最小用量より小さい用量をダイヤルするときに参照して記載される。数字スリーブ１２２はダイヤルグリップ１１２に堅固に固定され、その結果ダイヤルグリップ１１２を回転することで数字スリーブ１２２も回転する。既述のように、最小用量より小さい用量が選択されるときクラッチリング１３０はハウジング１２０に固定され、それ故この最小用量値未満ではクラッチリング１３０は回転することができない。
【００６１】
数字スリーブ１２２は数字スリーブ１２２の遠位端に歯１４０を含んでよい（図２Ａ参照）。更に、クラッチリング１３０は、（ｉ）クラッチリングの近位端１４６に歯１４４、（ｉｉ）クラッチリングの遠位端１５０に歯１４８、及び（ｉｉ）クラッチリングの内側部分１５４に内歯１５２を含んでよい。使用者が最小用量より小さい用量をダイヤルするとき、数字スリーブ１２２の遠位歯１４０はクラッチリングの上歯１４４をオーバーホールする。これは順次数字スリーブ１２２が回転するにつれて、クラッチリング１３０を金属ばね１３２に抗して軸方向に振動させる。この時点で、数字スリーブ１２２及びクラッチリング１３０インターフェース（即ち歯１４０及び１４４）は使用者に聴覚及び触覚「クリッカー」フィードバックを作り出し得て、使用者に用量が選択されているという確証をもたらす。
【００６２】
数字スリーブ１２２の外ねじ１５６は、用量が設定されると数字スリーブ１２２を回転させそして近位方向において軸方向に移動するようにさせる。これが起こっていると、クラッチリング１３０上の突出部１３１及びハウジング１２０上のキー機能１２３はクラッチリング１３０の回転を防止する。クラッチ１２８及びそれ故に駆動スリーブ１２４が回転しないことを確実にするのに資するために、クラッチリングの内歯１５２はクラッチリングの上歯１４４より大きいサイズから成ってよく、一方でクラッチリング１３０は触覚「クリッキング」フィードバックを作り出す数字スリーブ歯１４０を振動しオーバーライドする。言い換えれば、クラッチリング１３０が歯１４４をオーバーホールする歯１４０の(小型)サイズによって画成される距離だけ振動するとしても、歯１５２及びクラッチ上の対応する歯は係合されるのに十分大きい。用量が設定され、そして駆動スリーブ１２４、クラッチ１２８、及びクラッチリング１３０が数字スリーブ１２２により近位方向１３６において軸方向に移動すると、スピンドル１２６の可撓性アーム１３４ａ、ｂは、それらの駆動ねじ１３８から係合解除しながら駆動スリーブ１２４が移動するにつれて内側に偏向する。これは駆動スリーブ１２４を回転なしに近位方向において軸方向に移動することを可能にし、同時にスピンドル１２６は静止していることを確実にし、それにより用量精度を確実にする。
【００６３】
最小用量未満をダイヤルするときに使用者が用量を送達するのを試みる場合、使用者がデバイスの用量ボタン１１３を押し下げると、駆動スリーブ１２４は遠位方向１６０において軸方向に移動し得る。しかしながら、スピンドル駆動アーム１３４ａ、ｂ及びそれ故駆動ねじ１３８は駆動スリーブ１２４と係合され得ない。従って、スピンドル１２６は回転し得ず、その結果用量は送達し得ない。機構は図２Ｂに図示されるように元の位置に戻り得て、その時点で突出部１３１はキーイング機能１２３の最遠位位置に戻り、そしてその時点でスピンドル駆動アーム１３４ａ、ｂは駆動スリーブねじ１３８と再係合し得る。
【００６４】
最小使用者用量がダイヤルされた後、スピンドル可撓性アーム１３４ａ、ｂは駆動スリーブの内側ねじ山１３８と係合し得る。加えて、この時点で、クラッチリング１３０の突出部は、それをハウジング１２０に回転ロックしていたキー機能を排出し得る。例えば図２Ｄは、最小用量より大きい用量がダイヤルされた直後の用量設定機構１０４の所定部材の透視図を図示する。図示のように、突出部１３１はキーイング機能１２３を排出させている。従って、大きい用量がダイヤルされると、二重クラッチリング１３０は、これで自由に数字スリーブ１２２で回転することができるので、それによりまたクラッチ１２８及びそれ故駆動スリーブ１２４及びクラッチ１２８も回転させる。このダイヤル操作中、クラッチリング１３０は回転し、そしてクラッチリング下位歯１４８が金属ばね１３２の歯１６２をオーバーホールするので、金属ばね１３２の振動をもたらす。従って、操作のこの段階で、金属ばね１３２及びクラッチリング１３０インターフェースは聴覚「クリッカー」フィードバックを作り出し得る。
【００６５】
使用者が最小用量より大きい用量をダイヤルした後、使用者は用量を投与し得る。図３は、用量投与段階中のクラッチ１２８、クラッチリング１３０、数字スリーブ１２２、及び駆動スリーブ１２４を描述する。用量ボタン１１３の押し下げはクラッチ１２８に作動する。次いで、駆動スリーブ１２４に対するその制限軸方向移動を利用するクラッチ１２８は、図３に示されるようにクラッチリング１３０を数字スリーブ１２２から係合解除させる。金属ばね１３２はクラッチリング１３０によって圧縮され、そしてこれはクラッチ１２８の回転を防止するように作動し、そしてそれ故また駆動スリーブ１２４の回転を防止するように作動する。用量が送達されると、数字スリーブ１２２は後ろに回転しそして軸方向に移動するが、一方で駆動スリーブ１２４及びクラッチ１２８は回転なしに軸方向に移動し、それによりスピンドル１２６を回転させそれで用量送達の分配を前進させる。
【００６６】
クラッチリング１３０が用量投薬中に最小用量に対応する軸方向位置に戻るとき、クラッチリング１３０の突出部１３１は図２Ｃに図示されるようにハウジング１２０中のキーイング機能１２３と再係合する。この再係合は、次の用量の設定中にクラッチリング１３０の回転を防止するのに資する。例示的配置では、用量投薬中、クラッチリング１３０は回転せずにむしろただ遠位方向において軸方向に動くことので、クラッチリング１３０は毎回同じ角度方向に戻り得ない。従って、例の用量設定機構では、いずれかの可能な回転位置における他の部分で、突出部を係合することができるクラッチリング１３０か又はハウジング１２０上の複数の溝があってよい。
【００６７】
図２Ｂ〜Ｄに図示されるように、このハウジング１２０の内側面は複数のこのような溝又はキーイング機能を含む。
【００６８】
この記載された配置では、クラッチリング１３０及びクラッチ１２８は軸方向に回転して両方一緒に動く。しかしながら、クラッチリングの歯機能１４４及び１４８は組み合わせてクラッチ／クラッチリングへ組み込まれ得る。例えば、クラッチは最小用量が選択される前にハウジングに固定されるように（即ち、クラッチ(そしてそれ故に駆動スリーブ)は最小用量がダイヤルされた後でだけ回転することができる）、クラッチリングはクラッチに一体化されてよい。
【００６９】
本発明に基づく例としての用量設定機構では、最小用量未満の用量計数は、ダイヤルされた用量が通常の最小用量用量より小さいことを識別するために、赤色などの異なる色で着色し得る。あるいは、用量計数は最小用量がダイヤルされるまで見ることができない可能性がある。
【００７０】
別の例示的配置は図４〜５を参照して記載される。この例の用量設定機構は図１Ｂに示される用量設定機構１０４にある点で類似しており、それ故大きな詳細レベルでは記載されない。この別の配置は修正二重クラッチリング及び駆動スリーブを含む。図４〜５は、修正例の配置の数字スリーブ、クラッチ、クラッチリング及び駆動スリーブを図示する。
【００７１】
この別の配置では、数字スリーブ部材２０２及び金属ばね２０４と係合しているクラッチリング２００が備えられる。クラッチリング２００は回転することができずに駆動スリーブ２０６に対して軸方向に移動することができるように、クラッチリング２００は駆動スリーブ２０６に固定される。クラッチリング２００は種々のやり方で駆動スリーブ２０６に固定され得る。例えば、駆動スリーブ２０６は少なくとも１つの突出部２０８を含んでよく、そしてクラッチリング２００は少なくとも１つの対応する突出部２１０を含んでよい。図４では、例示的な突出部の内部の詳細を示すために、セクションはクラッチリング２００から取り外される。ほんの１つの例として、突出部２０８及び２１０はクラッチリング２００が駆動スリーブ２０６に対して回転することを防止するように相互作用し得る。
【００７２】
１つの配置では、クラッチリングは、ハウジングの内面に備わるスプラインを係合する複数の突出部を備える。ほんの１つの例として、クラッチリング２００は、最小用量が選択されるまで、リング２００をデバイスハウジングに固定する突出部(示されず)のような機能を備え得る。更に、駆動スリーブ２０６は用量ダイヤル部材２０２に軸方向にロックされ、しかしそれは用量ダイヤル部材２０２に直接回転ロックされない。金属ばね２０４は常時デバイスハウジングに固定され、そしてそれ故に回転することができない。
【００７３】
使用者が用量をダイヤルすると、クラッチリング２００はハウジングに固定され、そしてそれ故回転することができない。数字スリーブ２０２歯が二重クラッチリング２００の上歯をオーバーライドすると、数字スリーブ２０２は回転しクラッチリング２００を金属ばね２０４に抗して軸方向に振動するようにさせる。駆動スリーブ２０６は回転することなしに近位方向において軸方向に移動する。第１の配置を参照して上記のように、スピンドルの可撓性アーム（示されず）は第１の配置のように動作する。動作のこの段階では、「クリッカー」フィードバックはクラッチリング２００インターフェースまで数字スリーブ２０２によってもたらされ得る。第１の配置におけるように、使用者は、スピンドルから係合解除されている駆動スリーブに因り、最小用量より小さい用量を投与することが防止される。
【００７４】
最小使用者用量がダイヤルされた後、スピンドル可撓性アームは駆動スリーブの駆動ねじと再係合する。クラッチリング２００の突出部はまた、既述のようにハウジングにそれを回転ロックしていたキーイング機能を排出する。従って、大用量がダイヤルされると、クラッチリング２００はこれで数字スリーブ２０２と一緒に自由に回転することができる。駆動スリーブ２０６はクラッチリング２００に固定されるので、駆動スリーブ２０６はこれで数字スリーブ２０２と一緒に自由に回転することができる。動作のこの段階では、「クリッカー」フィードバックは二重クラッチリング２００インターフェースまで金属ばね２０４によってもたらされ得る。
【００７５】
最小用量より大きい用量が設定された後、使用者は用量を送達し得る。用量を送達するために、使用者は用量ボタンを押し下げ得る。用量ボタンの押し下げは、クラッチリング２００を数字スリーブ２０２から係合解除するクラッチ２１２に作動する。金属ばね２０４はクラッチリング２００によって圧縮され、そしてクラッチリング２００の回転及びその結果駆動スリーブ２０６の回転を防止するように作動する。用量が送達されると、用量ダイヤル部材２０２が回転しそして軸方向に移動し、一方で駆動スリーブ２０６は回転なしに軸方向に移動し、それ故スピンドルが回転させ次いで用量の送達を前進するようにさせる。
【００７６】
第１の配置のように、クラッチリング２００及びクラッチ２１２は軸方向及び回転の両方で一緒に動く。例では、二重クラッチリングの上部及び下部歯機能は組み合わせクラッチ／クラッチリングへ組み込まれ得る。
【００７７】
好ましい実施態様では、多回用量、使用者選択可能デバイス内に含まれるインスリンなどの基本薬物化合物は、単回用量の二次薬剤及び単回投薬インターフェースを含む単回使用、使用者交換可能モジュールで使用することが可能である。一次デバイスに連結したとき、二次化合物は一次化合物の投薬時にアクティブにされ／送達される。本出願は、具体的にインスリンを記載するが、２つの可能な薬物組み合わせとして、インスリンアナログ又はインスリン誘導体、及びＧＬＰ−１又はＧＬＰ−１アナログ、鎮痛薬、ホルモン、βアゴニスト又はコルチコステロイドなどの他の薬物若しくは薬物組み合わせ、又はいずれの上記薬物の組み合わせも、本発明で使用し得る。
【００７８】
本発明の目的のために、用語「インスリン」は、ヒトインスリン又はインスリンアナログ又は誘導体を含む、インスリン、インスリンアナログ、インスリン誘導体又はその混合物を意味するものとする。インスリンアナログの例は、限定されるものではなく、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで置換され、そしてここで、Ｂ２９位において、Ｌｙｓは、Ｐｒｏで置換されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン及びＤｅｓ（Ｂ３０）ヒトインスリンである。インスリン誘導体の例は、限定されるものではなく、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイル−ヒトインスリン；Ｂ２９−Ｎ−パルミトイルヒトインスリン；Ｂ２８−Ｎ−ミリストイル−ＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン及びＢ２９−Ｎ−（ω−カルボキシヘプタデカノイル）ヒトインスリンである。
【００７９】
本明細書で使用される用語「ＧＬＰ−１」は、限定されるものではなく、エキセナチド（エキセンジン−４（１−３９）、配列Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2）のペプチド、エキセンジン−３、リラグルチド、又はＡＶＥ００１０（Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｓｅｒ−Ｌｙｓ−Ｌｙｓ−Ｌｙｓ−Ｌｙｓ−Ｌｙｓ−Ｌｙｓ−ＮＨ2）を含む、ＧＬＰ−１、ＧＬＰ−１アナログ、又はその混合物を意味するものとする。
【００８０】
βアゴニストの例は、限定されるものではなく、サルブタモール、レボサルブタモール、テルブタリン、ピルブテロール、プロカテロール、メタプロテレノール、フェノテロール、メシル酸ビトルテロール、サルメテロール、ホルモテロール、バンブテロール、クレンブテロール、インダカテロールである。
【００８１】
ホルモンは、ゴナドトロピン(フォリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどの、例えば脳下垂体ホルモン又は視床下部ホルモン又は調節活性ペプチド及びそれらのアンタゴニストである。
【００８２】
本明細書で使用される用語「薬剤」は、少なくとも１つの薬学的活性化合物を含む医薬製剤を意味し、
ここで１つの実施態様では、薬学的活性化合物は１５００Ｄａまでの分子量を有し、及び／又はペプチド、タンパク質、多糖類、ワクチン、ＤＮＡ、ＲＮＡ、酵素、抗体、ホルモン若しくはオリゴヌクレオチド、又は上記の薬学的活性化合物の混合物であり、
ここで更なる実施態様では、薬学的活性化合物は、糖尿病又は糖尿病性網膜症などの糖尿病との合併症、深部静脈又は肺血栓塞栓症などの血栓塞栓障害、急性冠動脈症候群（ＡＣＳ）、アンギナ、心筋梗塞、癌、黄斑変性症、炎症、枯草熱、アテローム性動脈硬化症及び又は関節リウマチの処置及び／又は予防に有用であり、
ここで更なる実施態様では、薬学的活性化合物は、糖尿病又は糖尿病性網膜症などの糖尿病との合併症の処置及び／又は予防のための少なくとも１つのペプチドを含み、
ここで更なる実施態様では、薬学的活性化合物は、少なくとも１つのヒトインスリン又はヒトインスリンアナログ若しくは誘導体、グリカゴン用ペプチド（ＧＬＰ−１）又はそのアナログ若しくは誘導体、又はエキセンジン−３若しくはエキセンジン−４又はエキセンジン−３若しくはエキセンジン−４のアナログ若しくは誘導体を含む。
【００８３】
インスリンアナログは、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここでＢ２８位におけるプロリンは、Ａｓｐ、Ｌｙｓ、Ｌｅｕ、Ｖａｌ又はＡｌａで置換され、そして、ここでＢ２９位において、Ｌｙｓは、Ｐｒｏで置換されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン及びＤｅｓ（Ｂ３０）ヒトインスリンである。
【００８４】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００８５】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００８６】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2、Ｈ−（Ｌｙｓ）５−ｄｅｓＰｒｏ３６，ｄｅｓＰｒｏ３７エキセンジン−４（１−３９）−ＮＨ2、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ2は、エキセンジン−４誘導体のＣ−末端と連結してもよく；
【００８７】
又は以下の配列のエキセンジン−４誘導体
Ｈ−（Ｌｙｓ）６−ｄｅｓＰｒｏ３６［Ａｓｐ２８］エキセンジン−４（１−３９）−Ｌｙｓ６−ＮＨ2、
ｄｅｓＡｓｐ２８Ｐｒｏ３６，Ｐｒｏ３７，Ｐｒｏ３８エキセンジン−４（１−３９）−ＮＨ2、
Ｈ−（Ｌｙｓ）６−ｄｅｓＰｒｏ３６，Ｐｒｏ３８［Ａｓｐ２８］エキセンジン−４（１−３９）−ＮＨ2、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2、
ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2、
ｄｅｓＭｅｔ（Ｏ）１４，Ａｓｐ２８Ｐｒｏ３６，Ｐｒｏ３７，Ｐｒｏ３８  エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ2、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００８８】
ホルモンは、例えば、ゴナドトロピン(フォリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらのアンタゴニストである。
【００８９】
多糖類としては、例えば、グルコサミノグリカン、ヒアルロン酸、ヘパリン、低分子量ヘパリン、又は超低分子量ヘパリン若しくはその誘導体、又は硫酸化された、例えば、上記多糖類のポリ硫酸化形体、及び／又は、薬学的に許容可能なその塩がある。ポリ硫酸化低分子量ヘパリンの薬学的に許容可能な塩の例としては、エノキサパリンナトリウム塩がある。
【００９０】
薬学的に許容可能な塩は、例えば、酸付加塩及び塩基性塩がある。酸付加塩としては、例えば、ＨＣｌ又はＨＢｒ塩がある。塩基性塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されるＣ１〜Ｃ６アルキル基、場合により置換されるＣ２〜Ｃ６アルケニル基、場合により置換されるＣ６〜Ｃ１０アリール基、又は場合により置換されるＣ６〜Ｃ１０ヘテロアリール基である。薬学的に許容される塩の更なる例は、“Remington's Pharmaceutical Sciences”17編、Alfonso R.Gennaro（編集），Mark Publishing社，Easton, Pa., U.S.A., 1985 及び Encyclopedia of Pharmaceutical
Technologyに記載されている。薬学的に許容可能な溶媒和物としては、例えば、水和物がある。
【００９１】
【表１】
0005960703.tif 000002
【００９２】
【表２】
0005960703.tif 000003
【００９３】
【表３】
0005960703.tif 000004
【００９４】
本薬物送達デバイスの例示的な実施態様が記載されている。しかしながら、当業者には当然のことながら、その変更及び修正は、特許請求の範囲によって規定される薬物送達デバイスのための本提示用量設定機構の真の範囲及び精神から逸脱することなくこれらの実施態様に対して行われ得る。
【図１Ａ】
0005960703.tif 000005
【図１Ｂ】
0005960703.tif 000006
【図２Ａ】
0005960703.tif 000007
【図２Ｂ】
0005960703.tif 000008
【図２Ｃ】
0005960703.tif 000009
【図２Ｄ】
0005960703.tif 000010
【図３】
0005960703.tif 000011
【図４】
0005960703.tif 000012
【図５】
0005960703.tif 000013